(57)【要約】【課題】本発明の解決しようとする課題は、商品を収納することができる包装箱であって、使用後の空き箱を簡単な操作によって３Ｄビューワとして利用することが可能な包装箱を提案するものである。【解決手段】物品を収納する包装箱であって、人が覗き込むための２つのレンズを、人の目の間隔に配置した鑑賞面を有し、携帯情報端末を保持可能な端末保持機構を形成するための補助線を有しており、この補助線が前記携帯情報端末を前記鑑賞面と平行に、かつ、人が前記レンズを通して覗き込んだときに携帯情報端末の画面が良く見える距離に配置されていることを特徴とする包装箱である。【選択図】図１
2018002219.tif 000002
【特許請求の範囲】
【請求項１】
物品を収納する包装箱であって、人が覗き込むための２つのレンズを、人の目の間隔に配置した鑑賞面を有し、携帯情報端末を保持可能な端末保持機構を形成するための補助線を有しており、この補助線が前記携帯情報端末を前記鑑賞面と平行に、かつ、人が前記レンズを通して覗き込んだときに携帯情報端末の画面が良く見える距離に配置されていることを特徴とする包装箱。
【請求項２】
前記補助線は、前記鑑賞面に隣接する左右両側面と天面に亘って連続して設けられた、平行する２本のミシン目線であり、該ミシン目線によって帯状に除去された隙間が端末保持機構となることを特徴とする請求項１に記載の包装箱。
【請求項３】
前記補助線は、前記鑑賞面に隣接する左右両側面に、それぞれ設けられた、平行する２本のミシン目線であり、該ミシン目線によって帯状に除去された両側面の隙間が端末保持機構となることを特徴とする請求項１に記載の包装箱。
【請求項４】
前記補助線は、前記鑑賞面に隣接する天面の一部を矩形状に切り抜くための第１の切り取り線と、該第１の切り取り線の内側にあって、前記鑑賞面から特定の距離に、鑑賞面と平行に設けられた第１の山折罫線とからなり、切り抜かれた前記天面の一部と、前記第１の山折罫線を直角に折ることによって形成される押さえ板とが、端末保持機構を形成することを特徴とする請求項１に記載の包装箱。
【請求項５】
前記鑑賞面の下部に、中央部に切り込みを有するフラップが連設されており、前記天面の一部には、鑑賞面の２つのレンズの中央を通る中央線を天面に延長した位置に設けられた第２の山折罫線を有し、鑑賞面と天面とが形成する稜線には、前記第２の山折罫線に至る第２の切り取り線が設けられており、第２の山折罫線の終点から前記第２の切り取り線と平行する第３の切り取り線が設けられており、第２の切り取り線と第３の切り取り線を切断し、第２の山折罫線を直角に折り込むことにより、２つのレンズの間に隔壁を形成できるようにし、さらに隔壁の先端部に設けた切り込みを前記フラップの切り込みに挿入することにより、隔壁を固定できるようにしたことを特徴とする請求項４に記載の包装箱。
【請求項６】
前記隔壁は、先端が側面にまで延長されており、天面と側面とが形成する稜線または側面に、隔壁をフラップに固定するための切り込みが設けられていることを特徴とする請求項５に記載の包装箱。
【請求項７】
包装箱の表面に形成された印刷絵柄は、鑑賞面が、包装箱の底面となるように形成されていることを特徴とする請求項１〜６のいずれか１項に記載の包装箱。
【請求項８】
鑑賞面に設けられたレンズを通して、内容物の記載情報が読み取れるようにしたことを特徴とする請求項１〜７のいずれか１項に記載の包装箱。
【発明の詳細な説明】
【技術分野】
【０００１】
本発明は、包装箱に関し、特に使用後の空き箱に携帯情報端末を取り付けて３次元ビューワとして利用可能な包装箱に関する。
【背景技術】
【０００２】
近年、左右の目の視差画像を表示した携帯情報端末を収納し、レンズを介して携帯情報端末の表示部に表示された左右の視差画像を見ることで、立体映像を視認することができる３次元（３Ｄ）ビューワが提案されている。
【０００３】
特許文献１に記載された立体映像ビューワは、携帯情報端末収納部に立体視用映像を表示した携帯情報端末を収納し、両レンズ部を介して携帯情報端末の表示部に表示された立体用映像を見ることで、立体映像を視認することができるビューワである。
【０００４】
また、特許文献２に記載された切り抜き紙は、レンズを備えた厚紙を切り取り線に沿って切り抜いて組み立て、スマートフォンを取り付けてバーチャルリアリティ（ＶＲ）画像を見ることができる切り抜き紙である。
【先行技術文献】
【特許文献】
【０００５】
【特許文献１】意匠登録第１５３９３２３号公報
【特許文献２】意匠登録第１５４３４１３号公報
【発明の概要】
【発明が解決しようとする課題】
【０００６】
特許文献１に記載された立体映像ビューワも、特許文献２に記載された切り抜き紙もそれぞれ立体映像やＶＲ映像を視認するための専用の装置であり、それ以外の用途は無いものである。また特許文献２に記載された切り抜き紙のように、使用者が自分で組み立てる必要のあるものでは、組み立て方が分からないという消費者クレームが発生する場合もあった。
【０００７】
本発明の解決しようとする課題は、商品を収納することができる包装箱であって、使用後の空き箱を簡単な操作によって３次元ビューワとして利用することが可能な包装箱を提案するものである。
【課題を解決するための手段】
【０００８】
上記の課題を解決するための手段として、請求項１に記載の発明は、物品を収納する包装箱であって、人が覗き込むための２つのレンズを、人の目の間隔に配置した鑑賞面を有し、携帯情報端末を保持可能な端末保持機構を形成するための補助線を有しており、この補助線が前記携帯情報端末を前記鑑賞面と平行に、かつ、人が前記レンズを通して覗き込んだときに携帯情報端末の画面が良く見える距離に配置されていることを特徴とする包装箱である。
【０００９】
本発明に係る包装箱は、物品を収納することができる一方、２つのレンズを備えた鑑賞面を有し、携帯情報端末を保持する機構を形成するための補助線を備えたので、空き箱を簡単な操作で３次元ビューワとして使用することができる。
【００１０】
また、請求項２に記載の発明は、前記補助線が、前記鑑賞面に隣接する左右両側面と天
面に亘って連続して設けられた、平行する２本のミシン目線であり、該ミシン目線によって帯状に除去された隙間が端末保持機構となることを特徴とする請求項１に記載の包装箱である。
【００１１】
また、請求項３に記載の発明は、前記補助線が、前記鑑賞面に隣接する左右両側面に、それぞれ設けられた、平行する２本のミシン目線であり、該ミシン目線によって帯状に除去された両側面の隙間が端末保持機構となることを特徴とする請求項１に記載の包装箱である。
【００１２】
また、請求項４に記載の発明は、前記補助線が、前記鑑賞面に隣接する天面の一部を矩形状に切り抜くための第１の切り取り線と、該第１の切り取り線の内側にあって、前記鑑賞面から特定の距離に、鑑賞面と平行に設けられた第１の山折罫線とからなり、切り抜かれた前記天面の一部と、前記第１の山折罫線を直角に折ることによって形成される押さえ板とが、端末保持機構を形成することを特徴とする請求項１に記載の包装箱である。
【００１３】
また、請求項５に記載の発明は、前記鑑賞面の下部に、中央部に切り込みを有するフラップが連設されており、前記天面の一部には、鑑賞面の２つのレンズの中央を通る中央線を天面に延長した位置に設けられた第２の山折罫線を有し、鑑賞面と天面とが形成する稜線には、前記第２の山折罫線に至る第２の切り取り線が設けられており、第２の山折罫線の終点から前記第２の切り取り線と平行する第３の切り取り線が設けられており、第２の切り取り線と第３の切り取り線を切断し、第２の山折罫線を直角に折り込むことにより、２つのレンズの間に隔壁を形成できるようにし、さらに隔壁の先端部に設けた切り込みを前記フラップの切り込みに挿入することにより、隔壁を固定できるようにしたことを特徴とする請求項４に記載の包装箱である。
【００１４】
また、請求項６に記載の発明は、前記隔壁の先端が側面にまで延長されており、天面と側面とが形成する稜線または側面に隔壁をフラップに固定するための切り込みが設けられていることを特徴とする請求項５に記載の包装箱である。
【００１５】
また、請求項７に記載の発明は、包装箱の表面に形成された印刷絵柄が、鑑賞面が、包装箱の底面となるように形成されていることを特徴とする請求項１〜６のいずれか１項に記載の包装箱である。
【００１６】
また、請求項８に記載の発明は、鑑賞面に設けられたレンズを通して、内容物の記載情報が読み取れるようにしたことを特徴とする請求項１〜７のいずれか１項に記載の包装箱である。
【発明の効果】
【００１７】
本発明に係る包装箱は、物品を収納することができる包装箱である一方、２つのレンズを備えた鑑賞面を有し、携帯情報端末を最適な距離に保持する端末保持機構を形成するための補助線を備えたので、空き箱を簡単な操作で３次元ビューワとして使用することができる。
【００１８】
請求項２に記載の発明においては、鑑賞面に隣接する左右両側面と天面に亘って連続して設けられた、平行する２本のミシン目線を、補助線として備えたので、包装箱の壁をこのミシン目線によって帯状に除去するという極めて簡単な操作によって形成される箱の隙間に、携帯情報端末を挿入することにより、３次元ビューワが完成する。
【００１９】
また、携帯情報端末の画面は、箱によって覆われるため、外光が制限され、視認性が高まる。
【００２０】
請求項３に記載の発明のように、鑑賞面に隣接する左右両側面に、それぞれ連続して設けられた、平行する２本のミシン目線を補助線として備えた場合には、同様に包装箱の壁をこのミシン目線によって帯状に除去することにより形成される箱の両側面の隙間に携帯情報端末を挿入することにより、３次元ビューワが完成する。この場合、天面は、そのまま残されているので、３次元ビューワの形態保持性が良好である。また、外光も遮断されるため、視認性が良好である。
【００２１】
請求項４に記載の発明のように、補助線が、鑑賞面に隣接する天面の一部を矩形状に切り抜くための第１の切り取り線と、該第１の切り取り線の内側にあって、前記鑑賞面から特定の距離に、鑑賞面と平行に設けられた第１の山折罫線とからなり、切り抜かれた前記天面の一部と、前記第１の山折罫線を直角に折ることによって形成される押さえ板とが、端末保持機構を形成するようにした場合には、極めて簡単な構造の３次元ビューワが得られ、組立が容易であり、使用後は平面に伸ばして持ち運びもできる。
【００２２】
請求項５に記載の発明のように、鑑賞面の下部に、中央部に切り込みを有するフラップを連設し、一方天面の一部には、鑑賞面の２つのレンズの中央を通る中央線を天面に延長した位置に第２の山折罫線を設け、鑑賞面と天面とが形成する稜線には、前記第２の山折罫線に至る第２の切り取り線を設け、第２の山折罫線の終点から前記第２の切り取り線と平行する第３の切り取り線を設け、第２の切り取り線と第３の切り取り線を切断し、第２の山折罫線を直角に折り込むことにより、２つのレンズの間に隔壁を形成できるようにし、さらに隔壁の先端部に設けた切り込みを前記フラップの切り込みに挿入することにより、隔壁を固定できるようにした場合には、左右の目に映る映像が混ざり合うことが隔壁によって防止されるため、より鮮明な立体視像が得られる。
【００２３】
また、隔壁が存在することにより、レンズと携帯情報端末との距離や直角度が規制されるために、立体視が安定する効果がある。
【００２４】
請求項６に記載の発明のように、隔壁の先端が側面にまで延長されており、天面と側面とが形成する稜線または側面に隔壁をフラップに固定するための切り込みが設けられている場合にも、同様の効果が期待される他、隔壁の長さをある程度自由に設定できるため、包装箱の寸法の自由度が高まるという効果がある。
【００２５】
請求項７に記載の発明のように、包装箱の表面に形成された印刷絵柄が、鑑賞面が、包装箱の底面となるように形成されている場合には、包装箱の外観がごく普通の箱であり、空き箱が３次元ビューワとして利用可能であることが外観からは分からないため、これを利用した特定の販促効果が期待される。
【００２６】
請求項８に記載の発明のように、鑑賞面に設けられたレンズを通して、内容物の記載情報、例えば内容物の製造年月日や型番などが読み取れるようにした場合には、包装箱の表面にこれらの情報を表示しなくても済むので、例えば包装箱の印刷絵柄を型番別に変えなくても済むなどの副次的な効果が生じる。
【図面の簡単な説明】
【００２７】
【図１】図１は、本発明の請求項２に記載された包装箱の一実施態様を示した斜視図である。
【図２】図２は、図１に示した包装箱に携帯情報端末を取り付けて３次元ビューワとして用いる様子を示した斜視図である。
【図３】図３は、図１に示した包装箱のブランクを示した平面模式図である。
【図４】図４は、本発明の請求項３に記載された包装箱の一実施態様を示した斜視図である。
【図５】図５は、図４に示した包装箱に携帯情報端末を取り付けて３次元ビューワとして用いる様子を示した斜視図である。
【図６】図６は、図４に示した包装箱のブランクを示した平面模式図である。
【図７】図７は、本発明の請求項４に記載された包装箱の一実施態様を示した斜視図である。
【図８】図８は、図７に示した包装箱から切り取り線に沿って３次元ビューワとなる部分を切り取り、携帯情報端末を取り付けた状態を示した斜視説明図である。
【図９】図９は、図７に示した包装箱のブランクを示した平面模式図である。
【図１０】図１０は、本発明の請求項５に記載された包装箱の一実施態様を示した斜視図である。
【図１１】図１１は、図１０に示した包装箱から切り取り線に沿って３次元ビューワとなる部分を切り取った状態を示した斜視説明図である。
【図１２】図１２は、図１０に示した包装箱のブランクを示した平面模式図である。
【図１３】図１３は、本発明の請求項６に記載された包装箱の一実施態様を示した斜視図である。
【図１４】図１４は、図１３に示した包装箱から切り取り線に沿って３次元ビューワとなる部分を切り取った状態を示した斜視説明図である。
【図１５】図１５は、図１３に示した包装箱のブランクを示した平面模式図である。
【図１６】図１６は、図１３に示した包装箱から切り取った３次元ビューワとなる部分を組み立てて、携帯情報端末を取り付けた状態を示した斜視説明図である。
【図１７】図１７は、本発明の請求項７に記載された包装箱の一実施態様を示した斜視説明図である。
【発明を実施するための形態】
【００２８】
本発明に係る包装箱１は、物品を収納する包装箱であって、人が覗き込むための２つのレンズ７を、人の目の間隔に配置した鑑賞面２を有し、携帯情報端末１２を保持可能な端末保持機構１１を形成するための補助線８を有しており、この補助線８が携帯情報端末１２を鑑賞面２と平行に、かつ、人がレンズ７を通して覗き込んだときに携帯情報端末１２の画面が良く見える距離に配置されていることを特徴とする。
以下、図面を参照しながら、本発明に係る包装箱について詳細に説明する。図１は、本発明の請求項２に記載された包装箱１の一実施態様を示した斜視図である。また図２は、図１に示した包装箱１に携帯情報端末１２を取り付けて３次元ビューワ（３ＤＶ）として用いる様子を示した斜視図である。
【００２９】
図１、図２に示したように、この実施態様においては、補助線８は、鑑賞面２に隣接する左側面４と、右側面５と、天面３に亘って鑑賞面２から特定の距離に連続して設けられた、平行する２本のミシン目線９であり、ミシン目線９によって帯状に除去された隙間１
０が端末保持機構１１となっている。
【００３０】
この場合の特定の距離とは、鑑賞面２に取り付けられたレンズ７の焦点距離によって決定される値であって、人が２つのレンズを通して覗き込んだ時に、携帯情報端末１２の画面が最も良く見える距離に設定される。
【００３１】
レンズ７としては、一般的なガラスやプラスチック製の凸レンズでも良いが、プラスチック製のフレネルレンズが好適に用いられる。フレネルレンズは、平面状であるため、包装箱１に容易に取り付けることができる。また、両眼のレンズを１枚のレンズシートとして作成することができる。
【００３２】
図３は、図１に示した包装箱１のブランク１Ｂを示した平面模式図である。補助線８として、鑑賞面２に隣接する左側面４と、右側面５と、天面３に亘って鑑賞面２から特定の距離に連続してミシン目線９が設けられている。
【００３３】
ミシン目線９を引いて切断除去すると図２に示したような隙間１０が生じるが、この時、隙間１０が箱の下辺まで完全に連続するようにするために、糊代２６にも破断線を設けておくことが望ましい。
【００３４】
この例では、左側面４に連設されたフラップ１３ｂと右側面５に連設されたフラップ１３ｃが、箱として組み立てられた時に、鑑賞面２に設けられたレンズの開口部を遮らないように、それぞれ相当する部分に孔や切り欠きが設けられている。
【００３５】
この例では、レンズシートが鑑賞面２とフラップ１３ｂとによって挟まれて保持されるようになっている。
【００３６】
図４は、本発明の請求項３に記載された包装箱１の一実施態様を示した斜視図である。また、図５は、図４に示した包装箱１に携帯情報端末１２を取り付けて３次元ビューワとして用いる様子を示した斜視図である。また、図６は、図４に示した包装箱１のブランク１Ｂを示した平面模式図である。
【００３７】
この例では、補助線８は、鑑賞面２に隣接する左側面４と右側面５に、それぞれ鑑賞面２から特定の距離に連続して設けられた、平行する２本のミシン目線９であり、ミシン目線９によって帯状に除去された両側面の隙間１０が端末保持機構１１となることを特徴とする。
【００３８】
図５から分かるように、この実施態様では、図１に示した例と異なり、天面３が切断されずに残っているため、３次元ビューワとして使用する際に、形状安定性が良好である。但し、両側面の隙間に入らないような大きさの端末は、用いることができない。
【００３９】
図７は、本発明の請求項４に記載された包装箱１の一実施態様を示した斜視図である。また、図８は、図７に示した包装箱１から切り取り線１５に沿って３次元ビューワとなる部分を切り取り、携帯情報端末１２を取り付けた状態を示した斜視説明図である。また、図９は、図７に示した包装箱１のブランク１Ｂを示した平面模式図である。
【００４０】
この例では、補助線８は、鑑賞面２に隣接する天面３の一部を矩形状に切り抜くための第１の切り取り線１５と、第１の切り取り線１５の内側にあって、鑑賞面２から特定の距離に、鑑賞面２と平行に設けられた第１の山折罫線１８とからなり、切り抜かれた天面の一部と、第１の山折罫線１８を直角に折ることによって形成される押さえ板２０とが、端末保持機構１１を形成することを特徴とする。
【００４１】
この例では、３次元ビューワとなる部分における端末保持機構は、単にレンズ７と携帯情報端末１２との距離を特定するだけの機能しかないが、３次元ビューワの構造が極めて単純であり、分かり易いという特徴がある。
【００４２】
図１０は、本発明の請求項５に記載された包装箱１の一実施態様を示した斜視図である。また、図１１は、図１０に示した包装箱１から切り取り線１５に沿って３次元ビューワとなる部分を切り取った状態を示した斜視説明図である。また図１２は、図１０に示した包装箱１のブランク１Ｂを示した平面模式図である。
【００４３】
この例では、鑑賞面２の下部に、中央部に切り込み２５を有するフラップ１３ａが連設されており、天面３の一部には、鑑賞面２の２つのレンズ７の中央を通る中央線１４を天面３に延長した位置に設けられた第２の山折罫線１９を有し、鑑賞面２と天面３とが形成する稜線２１には、第２の山折罫線１９に至る第２の切り取り線１６が設けられており、さらに第２の山折罫線１９の終点から第２の切り取り線１６と平行する第３の切り取り線１７が設けられている。
【００４４】
第２の切り取り線１６と第３の切り取り線１７を切断し、第２の山折罫線１９を直角に折り込むことにより、２つのレンズの間に隔壁２３を形成できるようにし、さらに隔壁２３の先端部に設けた切り込み２４を前記フラップの切り込み２５に挿入することにより、隔壁２３を固定できるようにしたことを特徴とする。
【００４５】
こうして得られた３次元ビューワに、携帯情報端末１２を取り付けた状態は、特に図示しないが、外観的には、図１６と同様な外観となる。この実施例の特徴としては、左右のレンズの間に隔壁２３が設けられていることにより、左右の映像が混ざり合うことがなく、より鮮明な立体画像が得られるという特徴がある。また、隔壁２３が存在することにより、レンズ７と携帯情報端末１２との距離が厳密に規定され、さらに３次元ビューワの剛性が高まる効果もある。
【００４６】
図１３は、本発明の請求項６に記載された包装箱１の一実施態様を示した斜視図である。また、図１４は、図１３に示した包装箱１から切り取り線１５に沿って３次元ビューワとなる部分を切り取った状態を示した斜視説明図である。また、図１５は、図１３に示した包装箱１のブランク１Ｂを示した平面模式図であり、図１６は、図１３に示した包装箱１から切り取った３次元ビューワとなる部分を組み立てて、携帯情報端末１２を取り付けた状態を示した斜視説明図である。
【００４７】
この例では、図１０に示した実施例における隔壁２３の先端が右側面５にまで延長されており、天面３と右側面５とが形成する稜線２２または側面に隔壁２３をフラップ１３ａに固定するための切り込み２４が設けられていることを特徴とする。
【００４８】
図１３に示した例では、図１０に示した例と比較して第１の切り取り線１５の形状が複雑になるが、隔壁２３の長さをより長くすることができる。包装箱１に収納する内容物の寸法によっては、包装箱１の幅と高さの比において、隔壁２３の長さをもっと長くする必要が生じる場合もあるが、その場合であっても、切り込み２４の位置を稜線上からさらに右側面方向に移動することにより、達成することができる。
【００４９】
図１３〜１６に示した実施態様においても、図１０〜１２に示した実施態様と同様に、隔壁２３が存在することにより、左右の映像が混ざり合うことがなく、より鮮明な立体画像が得られるという特長の他、レンズ７と携帯情報端末１２との距離が厳密に規定され、さらに３次元ビューワとしての剛性が高まる効果もある。
【００５０】
図１７は、本発明の請求項７に記載された包装箱１の一実施態様を示した斜視説明図である。この例では、包装箱１の表面に形成された印刷絵柄が、鑑賞面２が包装箱の底面６となるように形成されていることを特徴とする。
【００５１】
このような構成とすることにより、包装箱１の外観がごく普通の箱となり、空き箱が３Ｄビューワとして利用可能であることが外観からは分からなくなる。このため、これを利用した特定の販促効果が期待される。
【００５２】
本発明に係る包装箱１は、鑑賞面２となる面にレンズ７を備えているので、レンズを通して、箱の内部を視認することができる。従って、内容物の、レンズを通して見える位置に記載された各種の情報を、箱の外部から読み取ることが可能となる。
【００５３】
この場合の読み取る情報の具体的な例としては、例えば製品の製造年月日やロット番号、あるいは製品の型番などさまざまであり、このようにすることにより、本来包装箱１の外側に記載しなければならない情報を記載しなくても済むようになる可能性がある。
【００５４】
本発明に係る包装箱１を構成する材料としては、特に限定されるものではないが、通常の厚紙、アート紙、コート紙、カード原紙、段ボール等の他、プラスチック板、金属板等を用いることもできる。また、箱の内面を艶消しの黒色にすることにより、３次元ビューワとした際の視認性をより向上させることができる。
【符号の説明】
【００５５】
１・・・包装箱
１Ｂ・・・包装箱のブランク
２・・・鑑賞面
３・・・天面
４・・・左側面
５・・・右側面
６・・・底面
７・・・レンズ
８・・・補助線
９・・・ミシン目線
１０・・・隙間
１１・・・端末保持機構
１２・・・携帯情報端末
３ＤＶ・・・３次元ビューワ
１３ａ、１３ｂ、１３ｃ・・・フラップ
１４・・・中央線
１５・・・第１の切り取り線
１６・・・第２の切り取り線
１７・・・第３の切り取り線
１８・・・第１の山折罫線
１９・・・第２の山折罫線
２０・・・押さえ板
２１・・・稜線
２２・・・稜線
２３・・・隔壁
２４・・・切り込み
２５・・・切り込み
２６・・・糊代
【図１】
2018002219.tif 000003
【図２】
2018002219.tif 000004
【図３】
2018002219.tif 000005
【図４】
2018002219.tif 000006
【図５】
2018002219.tif 000007
【図６】
2018002219.tif 000008
【図７】
2018002219.tif 000009
【図８】
2018002219.tif 000010
【図９】
2018002219.tif 000011
【図１０】
2018002219.tif 000012
【図１１】
2018002219.tif 000013
【図１２】
2018002219.tif 000014
【図１３】
2018002219.tif 000015
【図１４】
2018002219.tif 000016
【図１５】
2018002219.tif 000017
【図１６】
2018002219.tif 000018
【図１７】
2018002219.tif 000019